(57)【要約】【課題】蓄電素子及び電源関連装置の状態を視覚的に容易に把握することを可能とする情報処理装置、情報処理システム、情報処理方法及びコンピュータプログラムを提供する。【解決手段】蓄電素子又は電源関連装置の情報を、外部からの要求に応じて、又はイベントとして、送信する情報処理装置である。情報処理装置は、前記蓄電素子若しくは電源関連装置を含むシステム、又は、前記蓄電素子若しくは電源関連装置が設置されている場所の画像を受け付ける画像受付部と、前記蓄電素子又は電源関連装置の状態を含む情報を表すグラフィックを含む状態画面を、前記画像を用いて作成する作成部と、作成した状態画面の画面情報を送信する送信処理部とを備える。【選択図】図７
2020156156.tif 000002
【特許請求の範囲】
【請求項１】
蓄電素子又は電源関連装置の情報を、外部からの要求に応じて、又はイベントとして、送信する情報処理装置であって、
前記蓄電素子若しくは電源関連装置を含むシステム、又は、前記蓄電素子若しくは電源関連装置が設置されている場所の画像を受け付ける画像受付部と、
前記蓄電素子又は電源関連装置の状態を含む情報を表すグラフィックを含む状態画面を、前記画像を用いて作成する作成部と、
作成した状態画面の画面情報を送信する送信処理部と
を備える情報処理装置。
【請求項２】
前記画像受付部で受け付けられた画像内における前記グラフィックの表示位置の設定を受け付ける
請求項１に記載の情報処理装置。
【請求項３】
前記蓄電素子は、複数の蓄電セルを含むモジュールを複数直列に接続したバンクを並列に接続して階層状に構成されており、
階層別に、前記蓄電素子の状態を示す状態画面に表示する画像を受け付け、
階層別に受け付けられた前記画像を用い、階層別の状態画面を作成する
請求項１又は２に記載の情報処理装置。
【請求項４】
蓄電素子又は電源関連装置に接続又は搭載されている複数の通信デバイスと、該複数の通信デバイスと通信接続が可能な情報処理装置とを含み、
該情報処理装置は、
前記蓄電素子若しくは電源関連装置を含むシステム、又は、前記蓄電素子若しくは電源関連装置が設置されている場所の画像を受け付ける画像受付部と、
前記蓄電素子又は電源関連装置の状態を含む情報を表すグラフィックを含む状態画面を、前記画像を用いて作成する作成部と、
作成した状態画面の画面情報を送信する送信処理部と
を備える情報処理システム。
【請求項５】
蓄電素子又は電源関連装置の情報を、情報処理装置が要求に応じて、又はイベントとして、送信する情報処理方法であって、
前記蓄電素子若しくは電源関連装置を含むシステム、又は、前記蓄電素子若しくは電源関連装置が設置されている場所の画像を受け付け、
前記蓄電素子又は電源関連装置の状態を含む情報を表すグラフィックを含む状態画面を、前記画像を用いて作成し、
作成した状態画面の画面情報を送信する情報処理方法。
【請求項６】
表示部を備えるコンピュータに、蓄電素子又は電源関連装置の情報を表示させるコンピュータプログラムであって、
前記コンピュータに、
前記蓄電素子若しくは電源関連装置を含むシステム、又は、前記蓄電素子若しくは電源関連装置が設置されている場所の画像を受け付けるステップ、
受け付けられた画像内にて、蓄電素子又は電源関連装置の状態を含む情報を表すグラフィックの表示位置の設定を受け付けるステップ、
受け付けた画像及び表示位置の設定を送信するステップ、及び
送信した画像及び表示位置の設定に基づき作成された前記グラフィックを含む状態画面を前記表示部に表示するステップ
を実行させるコンピュータプログラム。
【発明の詳細な説明】
【技術分野】
【０００１】
本発明は、蓄電素子及び電源関連装置の情報を提示する情報処理装置、情報処理システム、情報処理方法及びコンピュータプログラムに関する。
【背景技術】
【０００２】
蓄電素子は、無停電電源装置、安定化電源に含まれる直流又は交流電源装置等に広く使用されている。また、再生可能エネルギー又は既存の発電システムにて発電された電力を蓄電しておく大規模なシステムでの蓄電素子の利用が拡大している。
【０００３】
蓄電素子を使用したシステムでは、蓄電素子の状態診断、充電状態（ＳＯＣ：State Of Charge）の推定、又は寿命予測等の実施を含む保守活動が重要になる。これらのシステムに含まれる蓄電素子の充電状態（ＳＯＣ：State Of Charge）、又は寿命予測の情報について、サーバ装置経由で、蓄電素子のユーザ又は保守担当者が遠隔から取得することを可能とする技術が提案されている。
【先行技術文献】
【特許文献】
【０００４】
【特許文献１】特開２０１５−１２１５２０号公報
【発明の概要】
【発明が解決しようとする課題】
【０００５】
鉛蓄電池又はリチウムイオン電池のような蓄電素子は、車載用途（自動車用途、自動二輪車用途）以外の産業用途に適用される場面が増加している。例えば、太陽光発電システムに蓄電素子が並設されることがある。この場合、蓄電素子はパワーコンディショナと接続される。メガソーラーと呼ばれる大規模な太陽光発電システムでは、非常に多くの蓄電素子及びパワーコンディショナが設置されて利用される。工場又は大規模施設における電力ピークカットを実現する場合にも、非常に多くの蓄電素子及びパワーコンディショナが設置されて利用される。鉄道用途においても、非常に多くの蓄電素子と直流又は交流電源装置である整流器とが設置されて利用される。従来の保守支援システムでは、分散電源システム又は事業主体にこのように多くの蓄電素子と電源関連装置が設置されるケースを想定していない。
【０００６】
ＩｏＴ（Internet of Things）の社会への浸透と平行して、蓄電素子及び電源関連装置の遠隔監視の実現とそれによる付加価値サービスの実現に対する期待が高まっている。
【０００７】
本発明は、蓄電素子及び電源関連装置の状態を視覚的に容易に把握することを可能とする情報処理装置、情報処理システム、情報処理方法及びコンピュータプログラムを提供することを目的とする。
【課題を解決するための手段】
【０００８】
情報処理装置は、蓄電素子又は電源関連装置の情報を、外部からの要求に応じて、又はイベントとして、送信する。情報処理装置は、前記蓄電素子若しくは電源関連装置を含むシステム、又は、前記蓄電素子若しくは電源関連装置が設置されている場所の画像を受け付ける画像受付部と、前記蓄電素子又は電源関連装置の状態を含む情報を表すグラフィックを含む状態画面を、前記画像を用いて作成する作成部と、作成した状態画面の画面情報を送信する送信処理部とを備える。
【図面の簡単な説明】
【０００９】
【図１】遠隔監視システムの概要を示す図である。
【図２】蓄電モジュール群の階層構造及び通信デバイスの接続形態の一例を示す図である
【図３】遠隔監視システムに含まれる装置の内部構成を示すブロック図である。
【図４】通信デバイスから送信されるデータの構造の一例を示す図である。
【図５】サーバ装置により提示される画面例を示す図である。
【図６】クライアント装置からの画像登録の処理手順の一例を示すフローチャートである。
【図７】クライアント装置で表示される画面例を示す図である。
【図８】クライアント装置で表示される他の画面例を示す図である。
【図９】クライアント装置で表示される状態画面の内容例を示す図である。
【図１０】クライアント装置からの画像登録の処理手順の他の一例を示すフローチャートである。
【図１１】クライアント装置で表示される画面例を示す図である。
【図１２】クライアント装置で表示される画面例を示す図である。
【図１３】クライアント装置で表示される画面例を示す図である。
【図１４】クライアント装置で表示される画面例を示す図である。
【図１５】クライアント装置で表示される画面例を示す図である。
【図１６】クライアント装置で表示される画面例を示す図である。
【図１７】クライアント装置で表示される画面例を示す図である。
【図１８】変形例における位置設定画面の一例を示す図である。
【発明を実施するための形態】
【００１０】
情報処理装置は、蓄電素子又は電源関連装置の情報を、外部からの要求に応じて、又はイベントとして、送信する。情報処理装置は、前記蓄電素子若しくは電源関連装置を含むシステム、又は、前記蓄電素子若しくは電源関連装置が設置されている場所の画像を受け付ける画像受付部と、前記蓄電素子又は電源関連装置の状態を含む情報を表すグラフィックを含む状態画面を、前記画像を用いて作成する作成部と、作成した状態画面の画面情報を送信する送信処理部とを備える。
【００１１】
上記構成により、監視対象のシステム毎、装置毎、又はそれらが設置されている場所毎に、状態画面に含まれる画像を新規に、又は事後的に登録可能である。監視対象のシステム又は装置の画像を状態画面に使用することによって、直感的な状態把握を容易とすることができる。事後的に画像の登録が可能であるから、運用期間中の蓄電素子又は電源関連装置を含むシステムの変更に応じて画像の変更が可能になり、適切な状態表示を維持することができ保守管理を効率化させることができる。蓄電素子又は電源関連装置は、１０年以上の運用期間で保守管理されることがあり、システムの一部が取り除かれたり、又は一部が追加されたりする場合がある。状態画面に使用される画像について適宜変更とすることにより、長い運用期間に亘るシステム保守において、システムの運用状態に合わせて状態画面を適切とすることができるから、結果的に、保守の信頼性を向上させることができる。
【００１２】
前記情報処理装置は、前記画像受付部で受け付けられた画像内における前記グラフィックの表示位置の設定を受け付けてもよい。
【００１３】
上記構成により、画像の内容のみならず、状態を示すグラフィックの表示位置を、システムの変更に合わせて適宜変更することができる。グラフィックはアイコン、イラスト、アニメーション等、多様な態様をとり得る。グラフィックの態様によっては、画像内の監視対象のシステム又は装置の位置に対応する箇所に表示させることが望まれる場合がある。この場合、グラフィックも表示位置の指定も可能であるから、保守担当者又は管理者にとって適切な表示とすることができる。システム又は場所には複数の蓄電素子又は電源関連装置が含まれる場合がある。各々の状態を区別して表示する場合には、表示されているグラフィックがいずれの蓄電素子又は電源関連装置の状態を示すのか、画像内のグラフィックの表示位置によって識別が容易になる。表示位置の設定が可能であることによって、多様なシステムにおける状態画面を適切にすることができる。
【００１４】
前記情報処理装置は、前記蓄電素子は、複数の蓄電セルを含むモジュールを複数直列に接続したバンクを並列に接続して階層状に構成されており、階層別に、前記蓄電素子の状態を示す状態画面に表示する画像を受け付け、階層別に受け付けられた前記画像を用い、階層別の状態画面を作成してもよい。
【００１５】
上記構成により、蓄電素子又は電源関連装置が階層構造を持つ場合、階層別の状態を示す状態画面についても夫々、画像を受け付けることができる。監視対象のシステム毎、装置毎の構造に応じて視覚的な状態表示の態様を、システムの運用状態に合わせて適切に変えることが可能である。長い運用期間に亘るシステム保守において、視覚的な状態確認を可能とする状態画面を、システムの運用状態に合わせて適切に変更することができるので、結果的に、保守の信頼性を向上させることができる。
【００１６】
情報処理システムは、蓄電素子又は電源関連装置に接続又は搭載されている複数の通信デバイスと、該複数の通信デバイスと通信接続が可能な情報処理装置とを含み、該情報処理装置は、前記蓄電素子若しくは電源関連装置を含むシステム、又は、前記蓄電素子若しくは電源関連装置が設置されている場所の画像を受け付ける画像受付部と、前記蓄電素子又は電源関連装置の状態を含む情報を表すグラフィックを含む状態画面を、前記画像を用いて作成する作成部と、作成した状態画面の画面情報を送信する送信処理部とを備える。
【００１７】
情報処理方法は、蓄電素子又は電源関連装置の情報を、情報処理装置が要求に応じて、又はイベントとして、送信する情報処理方法であって、前記蓄電素子若しくは電源関連装置を含むシステム、又は、前記蓄電素子若しくは電源関連装置が設置されている場所の画像を受け付け、前記蓄電素子又は電源関連装置の状態を含む情報を表すグラフィックを含む状態画面を、前記画像を用いて作成し、作成した状態画面の画面情報を送信する処理を含む。
【００１８】
コンピュータプログラムは、表示部を備えるコンピュータに、蓄電素子又は電源関連装置の情報を表示させるコンピュータプログラムであって、前記コンピュータに、前記蓄電素子若しくは電源関連装置を含むシステム、又は、前記蓄電素子若しくは電源関連装置が設置されている場所の画像を受け付けるステップ、受け付けられた画像内にて、蓄電素子又は電源関連装置の状態を含む情報を表すグラフィックの表示位置の設定を受け付けるステップ、受け付けた画像及び表示位置の設定を送信するステップ、及び送信した画像及び表示位置の設定に基づき作成された前記グラフィックを含む状態画面を前記表示部に表示するステップを実行させる。
【００１９】
本発明をその実施の形態を示す図面を参照して具体的に説明する。
【００２０】
図１は、遠隔監視システム１００の概要を示す図である。遠隔監視システム１００は、メガソーラー発電システムＳ、火力発電システムＦ、風力発電システムＷに含まれる蓄電素子及び電源関連装置に関する情報への遠隔からのアクセスを可能とする。無停電電源装置（ＵＰＳ：Uninterruptible Power Supply）Ｕ、鉄道用の安定化電源システム等に配設される整流器（直流電源装置、又は交流電源装置）Ｄも遠隔監視される。
【００２１】
メガソーラー発電システムＳ、火力発電システムＦ及び風力発電システムＷには、パワーコンディショナ（ＰＣＳ：Power Conditioning System ）Ｐ及び蓄電システム１０１が並設されている。蓄電システム１０１は、蓄電モジュール群Ｌを収容したコンテナＣを複数並設して構成されている。蓄電モジュール群Ｌは、複数の蓄電素子を含む。蓄電素子は、鉛蓄電池及びリチウムイオン電池のような二次電池や、キャパシタのような、再充電可能なものであることが好ましい。蓄電素子の一部が、再充電不可能な一次電池であってもよい。
【００２２】
遠隔監視システム１００では、監視対象となるシステムＳ，Ｆ，Ｗにおける蓄電システム１０１、又は装置（Ｐ，Ｕ，Ｄおよび後述の管理装置Ｍ）夫々に、通信デバイス１（図２参照）が搭載／接続される。遠隔監視システム１００は、通信デバイス１（情報処理装置）と、通信デバイス１からデータを収集するサーバ装置２（通信装置）と、収集されたデータに基づいて情報を閲覧するためのクライアント装置３（通信装置）と、装置間の通信媒体であるネットワークＮとを含む。
【００２３】
通信デバイス１は、蓄電素子に備えられる電池管理装置（ＢＭＵ：Battery Management Unit ）と通信して蓄電素子の情報を受信する端末装置（計測モニタ）であってもよいし、ECHONET ／ECHONETLite （登録商標）対応のコントローラであってもよい。通信デバイス１は、独立したデバイスであってもよいし、パワーコンディショナＰや蓄電モジュール群Ｌに搭載可能なネットワークカード型のデバイスであってもよい。通信デバイス１は、蓄電システム１０１における蓄電モジュール群Ｌに関するデータを取得すべく、複数の蓄電モジュールからなるグループ毎に１つずつ設けられている。パワーコンディショナＰは複数台でシリアル通信が可能に接続されており、通信デバイス１は、いずれか代表となるパワーコンディショナＰの制御ユニットに接続されている。
【００２４】
サーバ装置２はＷｅｂサーバ機能を含み、監視対象の各装置に搭載／接続された通信デバイス１から得られるデータに基づく監視対象の状態を含む情報を、クライアント装置３からのアクセスに応じて提示する（表示情報送信部）。
【００２５】
ネットワークＮは、所謂インターネットである公衆通信網Ｎ１と、所定の移動通信規格による無線通信を実現するキャリアネットワークＮ２とを含む。公衆通信網Ｎ１は、一般光回線を含み、ネットワークＮは、サーバ装置２が接続する専用線を含む。ネットワークＮは、ECHONET ／ECHONETLite 対応のネットワークを含んでもよい。キャリアネットワークＮ２には基地局ＢＳが含まれ、クライアント装置３は基地局ＢＳからネットワークＮを介したサーバ装置２との通信が可能である。公衆通信網Ｎ１にはアクセスポイントＡＰが接続されており、クライアント装置３はアクセスポイントＡＰからネットワークＮを介してサーバ装置２との間でデータを送受信することができる。
【００２６】
蓄電システム１０１の蓄電モジュール群Ｌは階層構造を有している。蓄電素子のデータをサーバ装置２へ送信する通信デバイス１は、蓄電モジュール群Ｌに設けられた管理装置Ｍから蓄電モジュール群の測定データを取得する。図２は、蓄電モジュール群Ｌの階層構造及び通信デバイス１の接続形態の一例を示す図である。蓄電モジュール群Ｌは、例えば蓄電セル（セルとも称する）を複数直列に接続した蓄電モジュール（モジュールとも称する）と、蓄電モジュールを複数直列に接続したバンクと、バンクを複数並列に接続したドメインとの階層構造にて構成されている。図２の例では、番号（＃）１−Ｎのバンク夫々と、バンクを並列に接続したドメインとに１つずつ、管理装置Ｍが設けられている。バンク毎に設けられている管理装置Ｍは、蓄電モジュールの内部に夫々内蔵されている通信機能付きの制御基板（ＣＭＵ：Cell Monitoring Unit）とシリアル通信によって通信し、蓄電モジュール内部の蓄電セルに対する測定データ（電流、電圧、温度）を取得する。バンクの管理装置Ｍは、取得した蓄電セル毎の測定データに基づくバンク毎のバランス調整を行ない、通信状態の異常の検知等の管理処理を実行する。バンクの管理装置Ｍは夫々、ドメイン単位で設けられている管理装置Ｍへ各々のバンクの蓄電モジュールから得られた測定データを送信する。バンクの管理装置Ｍは、蓄電モジュールのバランス調整の状態をドメインの管理装置Ｍへ送信し、異常が検知された場合はドメインの管理装置Ｍへ通知する。ドメインの管理装置Ｍは、そのドメインに所属するバンクの管理装置Ｍから得られる測定データ、検知された異常等のデータを集約する。図２の例では通信デバイス１は、ドメイン単位の管理装置Ｍに接続されている。他の例で通信デバイス１は、ドメイン単位の管理装置Ｍとバンク単位の管理装置Ｍとの夫々に接続されている。
【００２７】
このように遠隔監視システム１００では、各装置に搭載させた通信デバイス１を利用し、蓄電システム１０１におけるＳＯＣ、ＳＯＨ（State Of Health ）等の状態、検知された異常といったデータをサーバ装置２に収集させ、蓄電システム１０１に関する情報を提示させる。
【００２８】
図３は、遠隔監視システム１００に含まれる装置の内部構成を示すブロック図である。図３に示すように、通信デバイス１は、制御部１０、記憶部１１、第１通信部１２及び第２通信部１３を備える。制御部１０はＣＰＵ（Central Processing Unit ）を用いたプロセッサであり、内蔵するＲＯＭ（Read Only Memory）及びＲＡＭ（Random Access Memory）等のメモリを用い、各構成部を制御して処理を実行する。
【００２９】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、ＳＳＨ（Secure Shell）、ＳＮＭＰ（Simple Network Management Protocol）等に準じた通信用プログラムが含まれる。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。記憶部１１に記憶されるデバイスプログラム１Ｐは、記録媒体４に記憶してあるデバイスプログラム４Ｐを読み出して記憶部１１に複製したものであってもよい。
【００３０】
記憶部１１は、通信デバイス１の位置を示す位置情報を記憶してもよい。通信デバイス１の位置は、保守担当者によって登録される情報であってもよいし、ＷｉＦｉ等の通信を用いて制御部１０の処理によって自動的に検出されてもよい。
【００３１】
第１通信部１２は、通信デバイス１が接続されている監視対象装置との通信を実現する通信インタフェースである。第１通信部１２は例えば、ＲＳ−２３２Ｃ又はＲＳ−４８５等のシリアル通信インタフェースを用いる。例えばパワーコンディショナＰはＲＳ−４８５に準拠したシリアル通信機能を有する制御ユニットを備えており、第１通信部１２はその制御ユニットと通信する。蓄電モジュール群Ｌに備えられている制御基板がＣＡＮ（Controller Area Network）バスにより接続されて制御基板間の通信をＣＡＮ通信で実現する場合、第１通信部１２はＣＡＮプロトコルに基づく通信インタフェースである。第１通信部１２は、ECHONET ／ECHONETLite の規格に対応する通信インタフェースであってもよい。
【００３２】
第２通信部１３は、ネットワークＮを介した通信を実現するインタフェースであり、例えばEthernet（登録商標）、又は、ＷｉＦｉ等の無線通信用アンテナ等の通信インタフェースを用いる。制御部１０は、第２通信部１３を介してサーバ装置２と通信接続が可能である。第２通信部１３が、ECHONET ／ECHONETLite の規格に対応する通信インタフェースであってもよい。
【００３３】
このように構成される通信デバイス１では、制御部１０が第１通信部１２を介して、通信デバイス１が接続されている装置にて得られる蓄電素子に対する測定データを取得する。制御部１０は、ＳＮＭＰ用プログラムを読み出して実行することにより、ＳＮＭＰエージェントとして機能し、サーバ装置２からのデータ要求に対して応答してもよい。
【００３４】
サーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させてもよい。
【００３５】
制御部２０は、ＣＰＵ又はＧＰＵ（Graphics Processing Unit）を用いたプロセッサであり、内蔵するＲＯＭ及びＲＡＭ等のメモリを用い、各構成部を制御して処理を実行する。制御部２０は、記憶部２１に記憶されているサーバプログラム２１Ｐに基づく通信及び情報処理を実行する。サーバプログラム２１ＰにはＷｅｂサーバプログラムが含まれ、制御部２０は、クライアント装置３へのＷｅｂページの提供を実行するＷｅｂサーバとして機能する。制御部２０は、サーバプログラム２１Ｐに基づき、ＳＮＭＰ用サーバとして通信デバイス１からデータを収集する。
【００３６】
記憶部２１は、例えばハードディスク又はフラッシュメモリ等の不揮発性メモリを用いる。記憶部２１には、上述したサーバプログラム２１Ｐ及びデータ処理プログラム２２Ｐが記憶されている。記憶部２１に記憶されるサーバプログラム２１Ｐ及びデータ処理プログラム２２Ｐは、記録媒体５に記憶してあるサーバプログラム５１Ｐ及びデータ処理プログラム５２Ｐを読み出して記憶部２１に複製したものであってもよい。
【００３７】
記憶部２１には、制御部２０の処理によって収集される監視対象となる蓄電システム１０１のパワーコンディショナＰ及び蓄電モジュール群Ｌの測定データが記憶される。測定データは、蓄電システム１０１又はパワーコンディショナＰを識別する識別情報（番号）と対応付けられている。蓄電モジュール群Ｌの測定データは、後述するように、ドメイン単位、バンク単位、モジュール単位、又はセル単位と階層構造に応じて記憶される（図４）。
【００３８】
記憶部２１には、監視対象の蓄電モジュール群Ｌ又は装置Ｐ，Ｕ，Ｄの状態を表示するための画像が複数記憶されている。複数の画像は、監視対象の蓄電モジュール群Ｌ又は装置Ｐ，Ｕ，Ｄを識別する識別情報と対応付けて記憶部２１に記憶されている。複数の画像には、蓄電モジュール群Ｌ又は装置Ｐ，Ｕ，Ｄを表す画像が含まれる。複数の画像には、蓄電モジュール群Ｌ又は装置Ｐ，Ｕ，Ｄの配置を示す画像が含まれる。これらの画像は、航空写真、衛星写真等の写真、２Ｄ地図、設計図、ＣＡＤ図面、又はイラストである。これらの画像は、後述するように、クライアント装置３からのアップロードにより記憶される。写真、地図、設計図、図面又はイラストの内、監視対象の蓄電モジュール群Ｌ又は装置Ｐ，Ｕ，Ｄの位置又は範囲が各画像について記憶されている。位置又は範囲を示す情報は例えば、画像に対応する座標情報である。画像が航空写真、衛星写真又は地図である場合には緯度経度情報及び相対位置を示す情報であってもよい。記憶部２１に記憶されている複数の画像には、蓄電モジュール群Ｌ又は装置Ｐ，Ｕ，Ｄの状態を表現するためのイラスト、アイコン、アニメーション等の画像が含まれる。記憶部２１には状態を表示するための画像の他、Ｗｅｂベースで蓄電システム１０１、装置Ｐ，Ｕ，Ｄの状態を視覚的に出力するためのスタイルシート、スクリプト等のデザインデータが記憶されている。
【００３９】
通信部２２は、ネットワークＮを介した通信接続及び情報の送受信を実現する通信デバイスである。具体的には通信部２２はネットワークＮに対応したネットワークカードである。
【００４０】
クライアント装置３は、発電システムＳ，Ｆ，Ｗの蓄電システム１０１の管理者又は保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００４１】
制御部３０は、ＣＰＵを用いたプロセッサである。制御部３０は、記憶部３１に記憶されているクライアントプログラム３Ｐに基づき、サーバ装置２により提供されるＷｅｂページを表示部３３に表示させる。クライアントプログラム３Ｐは、サーバ装置２のＷｅｂサーバ機能により提供されるＷｅｂページに組み込まれており、クライアント装置３で一時的に記憶されるスプリクトとＷｅｂブラウザプログラムとを含み、サーバ装置２における動作に基づいたＷｅｂベースの画面を表示させるためのプログラムである。
【００４２】
記憶部３１は、例えばハードディスク又はフラッシュメモリ等の不揮発性メモリを用いる。記憶部３１には、クライアントプログラム３Ｐを含む各種プログラムが記憶されている。クライアントプログラム３Ｐは、記録媒体６に記憶してあるクライアントプログラム６Ｐを読み出して記憶部１１に複製したものであってもよい。
【００４３】
通信部３２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。制御部３０は通信部３２により、ネットワークＮを介してサーバ装置２との間で通信接続又は情報の送受信が可能である。
【００４４】
表示部３３は、液晶ディスプレイ、有機ＥＬ（Electro Luminescence）ディスプレイ等のディスプレイを用いる。表示部３３は制御部３０のクライアントプログラム３Ｐに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４５】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部３０へ通知する。
【００４６】
このように構成される遠隔監視システム１００では、サーバ装置２が、パワーコンディショナＰ、蓄電モジュール群Ｌ（管理装置Ｍ）、無停電電源装置Ｕ、及び整流器Ｄの状態を含む情報を通信デバイス１から定期的に取得し、記憶部２１に記憶する。サーバ装置２は、通信デバイス１を用いて蓄電素子若しくは各電源関連装置から取得した測定データに基づいて、監視対象のシステム又は装置の状態を視覚的に表す画面を表示するためのＷｅｂページデータを作成し、クライアント装置３へ提示する。
【００４７】
サーバ装置２は、階層構造を持つ蓄電モジュール群Ｌ（管理装置Ｍ）の状態情報を含むデータを複数の通信デバイス１から定期的に取得する際、その階層構造の情報を共に取得する。本実施の形態では、図２に示すようにドメインの管理装置Ｍに接続された通信デバイス１からデータが送信される。通信デバイス１から送信されるデータは、蓄電モジュール群Ｌの階層構造に合わせてフォルダを階層的に含む形式で送信される。図４は、通信デバイス１から送信されるデータの構造の一例を示す図である。図４に示すように、通信デバイス１から送信されるデータは、モジュール単位のフォルダ、このフォルダをモジュールの数だけ含むバンク単位のフォルダ、このフォルダをバンクの数だけ含むドメイン単位のフォルダを含む。モジュール単位のフォルダは、そのモジュールに含まれる蓄電セルの各状態を記述した蓄電セル毎のデータファイルと、モジュール全体としての状態を記述した１つのデータファイルとを含む。バンク単位のフォルダは、モジュール単位のフォルダをその数だけ含むと共に、バンク全体の状態を記述した１つのデータファイルを含む。サーバ装置２は、送信されたデータが圧縮されている場合はこれを解凍し、そのデータ構造のまま記憶部２１に記憶する。これにより、階層毎の測定データ及び状態情報を含むデータが階層的に記憶部２１に記憶される。サーバ装置２は、通信デバイス１から、モジュール、バンク、ドメイン夫々の識別情報、システム全体に割り振られるロケーションＩＤ、システム内で分別するためのマイナＩＤ等を用いた接続状態を記述した情報を取得して階層構造を認識してもよい。
【００４８】
上述したようにサーバ装置２は、蓄電モジュール群Ｌの各階層のデータを逐次通信デバイス１から取得して記憶部２１に記憶している。本実施の形態のサーバ装置２は、クライアント装置３からの要求に応じて情報を提示する際には、記憶部２１に記憶してある状態の情報を視覚的に示すＷｅｂ画面を作成してクライアント装置３へ送信する。Ｗｅｂ画面には、記憶部２１に記憶されるシステム又は装置の画像を用いる。この画像は、クライアント装置３を用い、遠隔監視システム１００を利用するシステムの管理者又は保守担当者が適宜選んだものでよい。管理者は、以下のように画像及び画像内におけるシステム又は装置の位置を示す情報を登録し、サーバ装置２から提示されるＷｅｂ画面をカスタマイズして利用することができる。
【００４９】
図５は、サーバ装置２により提示される画面例を示す図である。遠隔監視システム１００を利用するべく保守担当者又は管理者がクライアント装置３を用い、サーバ装置２のＷｅｂサーバから提供されるログイン画面を介してログインを行なう。クライアント装置３ではサーバ装置２から送信される画面情報に基づき、ログイン情報により抽出されたシステム又は装置の名称の一覧を含むＷｅｂ画面３３０を図５に示すように表示部３３に表示させる。図５の例であれば、図１に示したメガソーラー発電システムＳの「ＸＹ市メガソーラーシステム」、火力発電所システムＦの「ＷＺ発電所システム」等の名称が夫々、識別情報（ロケーションＩＤ）と共にリンクとして表示されている。
【００５０】
サーバ装置２から提供されるＷｅｂ画面３３０には、「システム検索」、「寿命予測」、「ダウンロード」、「レポート」等のメニュー３３１が含まれる。メニュー３３１には「新規登録」、及び「編集」が含まれる。図５のＷｅｂ画面３３０にて「編集」が選択されることにより、選択されるシステムに含まれる蓄電素子の情報を表示するための画像の登録を設定することが可能である。
【００５１】
図６は、クライアント装置３からの画像登録の処理手順の一例を示すフローチャートである。クライアント装置３にてＷｅｂブラウザからログイン要求を受け、図５のＷｅｂ画面３３０を表示した後、「編集」メニューにおける画像登録のメニューの選択がされると、サーバ装置２にて以下の処理が開始される。
【００５２】
制御部２０は、ログイン要求元のクライアント装置３を使用する保守担当者又は管理者が権限を有するシステム又は装置の一覧からいずれかを選択するシステム選択画面と、画像受付画面とを含むＷｅｂ画面のデータをクライアント装置３へ送信する（ステップＳ２０１）。
【００５３】
クライアント装置３の制御部３０は、サーバ装置２から送信されたデータを受信し（ステップＳ３０１）、受信したデータに基づき表示するＷｅｂ画面に含まれるシステム選択画面で、画像登録対象のシステム又は装置の選択を受け付ける（ステップＳ３０２）。制御部３０は、ステップＳ３０２で選択されたシステム又は装置に対し、画像受付画面にて画像を受け付ける（ステップＳ３０３）。ステップＳ３０２及びＳ３０３における画像は、Ｗｅｂ画面のデータに含まれるスプリクトに基づいて、受け付ける。ステップＳ３０３で制御部３０は、クライアント装置３で記憶している画像の他に、クライアント装置３がカメラ機能を有する場合に新たに撮影する画像を受け付けてもよいし、他のＷｅｂサイトに含まれている画像のアドレス指定を受け付けてもよい。ステップＳ３０３において制御部３０は、画像の種類の選択を共に受け付けるとよい。種類は例えば「写真画像」、「地図」、「平面図」又は「３Ｄ（三次元画像）」である。
【００５４】
クライアント装置３の制御部３０は、システム選択画面で選択されたシステム又は装置に対して画像受付画面で受け付けられた画像の登録操作（確定操作）をＷｅｂ画面上で受け付ける（ステップＳ３０４）。登録の操作に応じて制御部３０は、ステップＳ３０３で受け付けた画像を読み出し、システム選択画面で選択されたシステム又は装置の識別情報と対応付けてサーバ装置２へ送信する（ステップＳ３０５）。
【００５５】
サーバ装置２の制御部２０は、クライアント装置３から画像及び選択されたシステム又は装置の識別情報を受信し（ステップＳ２０２）、識別情報に対応付けて画像を記憶部２１に記憶する（ステップＳ２０３）。これにより、選択されたシステム又は装置の状態を示す画像が登録される。
【００５６】
次に制御部２０は、ステップＳ２０２で受信した画像を含み、画像上で選択されたシステム又は装置の状態を示すグラフィックを表示する位置の設定を受け付ける位置設定画面をクライアント装置３へ送信する（ステップＳ２０４）。
【００５７】
クライアント装置３の制御部３０は、位置設定画面を受信し（ステップＳ３０６）、位置設定画面を表示し（ステップＳ３０７）、位置設定画面のデータに含まれるスプリクトにより、受け付けられた画像上で、状態を表示する位置の設定を受け付ける（ステップＳ３０８）。ステップＳ３０８において制御部３０は、位置設定画面内に表示した画像内で操作部３４により選択された相対位置を特定する。制御部３０は、設定操作を受け付け（ステップＳ３０９）、受け付けた位置の情報をサーバ装置２へ送信する（ステップＳ３１０）。
【００５８】
サーバ装置２の制御部２０は、クライアント装置３から位置設定画面で設定された位置の情報を受信し（ステップＳ２０５）、ステップＳ２０３で記憶した画像に対応付けて位置の情報を記憶部２１に記憶する（ステップＳ２０６）。これにより、記憶部２１には、システム又は装置の識別情報に対応付けて、システム又は装置の状態を示す画面に含める画像と、該画像内において状態を表すグラフィックを表示させる位置とが記憶される。
【００５９】
上述したように、クライアント装置３から、システム又は装置の状態を示すＷｅｂ画面に表示される画像を登録することが可能である。サーバ装置２側のステップＳ２０４−Ｓ２０６の処理、クライアント装置３のＳ３０６−Ｓ３１０の処理は必須ではない。グラフィックの態様が、例えば画像の大半を覆う半透明の矩形オブジェクトである場合では、表示位置の特定は不要である。後述するようにグラフィックの態様が比較的小さなアイコンである場合、監視対象のシステム又は装置が画像内の特定の位置に含まれている場合、画像内に他のシステム又は装置が含まれる場合では、上述の位置設定画面の設定によって、そのシステム又は装置の位置に対応する箇所にグラフィックを表示させることができる。
【００６０】
図６のフローチャートに示した処理手順を、具体例を挙げて説明する。図７は、クライアント装置３で表示される画面例を示す図である。図７に示すＷｅｂ画面３３０は、図５のＷｅｂ画面３３０のメニュー３３１における「編集」メニューの内、「画像登録」を選択した場合に表示される。図７の画像登録用のＷｅｂ画面３３０には、システム選択画面３３２及び画像受付画面３３３が含まれている。システム選択画面３３２は、クライアント装置３を使用する保守担当者又は管理者が権限を有するシステム又は装置の一覧を選択可能に含む。画像受付画面３３３は、ボタン状の選択インタフェースを有し、アップロードする画像のクライアント装置３における位置（ディレクトリデータ）の選択を受け付ける。Ｗｅｂ画面３３０には、画像登録を受け付ける登録インタフェース３３４が含まれている。登録インタフェース３３４が選択されたことを検知して、制御部３０はステップＳ３０４の登録操作を受け付ける。
【００６１】
図８は、クライアント装置３で表示される他の画面例を示す図である。図８は、図７のＷｅｂ画面３３０にて登録インタフェース３３４が選択された場合に次に表示される画面を示している。図８のＷｅｂ画面３３０には、受け付けられたシステム又は装置の画像Ｇ１と、画像Ｇ１上に重畳され、状態を表すグラフィックを表示させる位置を示すカーソル３３５とが含まれる。カーソル３３５は操作部３４によって画像Ｇ１上で上下左右に移動させることが可能である。図８のＷｅｂ画面３３０には、設定操作を受け付ける設定インタフェース３３６が含まれる。設定インタフェース３３６が選択されたことを検知して、制御部３０はステップＳ３０９の設定操作を受け付ける。
【００６２】
図８のＷｅｂ画面３３０には、画像の種類を切り替える切替インタフェース３３７が含まれる。対象のシステム又は装置に対し、図７のＷｅｂ画面３３０上で複数の画像Ｇ１が受け付けられ、複数の画像が登録された場合には、いずれの画像について位置を設定するかを切り替えることができる。
【００６３】
図９は、クライアント装置３で表示される状態画面３５０の内容例を示す図である。保守担当者又は管理者がクライアント装置３を用いて遠隔監視システム１００にログインした場合、サーバ装置２によって図５に示したシステム又は装置の名称の一覧を含むＷｅｂ画面３３０が表示部３３に表示される。システム又は装置の一覧から例えば、「ＸＹ市メガソーラーシステム」が選択された場合、図６のフローチャートに示した処理手順によって登録された画像及び設定に基づいて図１５に示す状態画面３５０が表示される。状態画面３５０は、多数のソーラーパネルと蓄電モジュール群Ｌを収容する多数のコンテナＣを撮像した航空写真である画像Ｇ１（図９では線図で描かれている）を含む。状態画面３５０には、システムの画像Ｇ１と共に「ＸＹ市メガソーラーシステム」の状態を視覚的に表すグラフィックオブジェクト３５１が含まれている。グラフィックオブジェクト３５１は、図９に示す例では、特定されている状態に応じて異なる色が選択される丸形のアイコンである。図９では、異常ありを示す色のアイコンが選択されて表示されている。
【００６４】
図９に示す状態画面３５０に表示される画像Ｇ１は、図６のフローチャートにおけるＳ３０２−Ｓ３０４の処理によって受け付けられた画像であり、記憶部２１に記憶されている。グラフィックオブジェクト３５１の表示位置は、図６のフローチャートにおけるステップＳ３０６−Ｓ３０９の処理によって受け付けられた位置であり、記憶部２１に記憶されている。グラフィックオブジェクト３５１は、画像Ｇ１の拡縮に応じて適切に移動するようにしてある。グラフィックオブジェクト３５１を含む状態画面３５０により、多数のソーラーパネルとコンテナＣの配置を視認できると共に、「ＸＹ市メガソーラーシステム」が全体として問題なく運用されていることをクライアント装置３から確認することができる。状態画面３５０の表示の態様は監視対象のシステム毎、装置毎、又はそれらが設置されている場所毎の利便性に応じて、保守担当者又は管理者によって変えることが可能である。
【００６５】
図９の状態画面３５０の例では、切替インタフェース３５２が含まれている。切替インタフェース３５２は、図９に示す例では、「写真」、「平面図」、「３Ｄ」の３種類について夫々選択可能なボタン又はアイコンを含む。状態画面３５０では、切替インタフェース３５２の選択に応じて、図７の画像受付画面３３３にて種類別に受け付けられた画像に入れ替えられる。切替インタフェース３５２は、選択の都度巡回的に「写真」「平面図」「３Ｄ」が切り替えられる１つのボタンの態様のインタフェースであってもよい。
【００６６】
対象のシステム又は装置が蓄電システム１０１を含み、蓄電システム１０１が階層構造を持つ蓄電素子で構成されている場合、サーバ装置２は、状態を表示させるＷｅｂ画面を階層状に表示させてもよい。この場合、サーバ装置２は階層毎に画像を受け付ける。図１０は、クライアント装置３からの画像登録の処理手順の他の一例を示すフローチャートである。対象のシステム又は装置が階層構造を持つ蓄電素子を含む場合、図８のＷｅｂ画面３３０をクライアント装置３に表示させた後、サーバ装置２は以下の処理を行なってよい。
【００６７】
サーバ装置２の制御部２０は、対象のシステム又は装置に対して階層間での遷移の登録を受け付ける画面のデータをクライアント装置３へ送信する（ステップＳ２１１）。ステップＳ２１１で送信される画面は、初期的には、システム又は装置全体の状態を表示する画面上の、システム又は装置の位置に表示させた状態を示すグラフィックオブジェクトを選択した場合の動作の選択画面を含む。選択画面は、画面遷移の先の一覧を含む。
【００６８】
クライアント装置３の制御部３０は、階層構造で遷移の登録を受け付ける画面のデータを受信し（ステップＳ３１１）、受信したデータに基づき画面にて動作の選択を受け付ける（ステップＳ３１２）。制御部３０は、設定操作を受け付け（ステップＳ３１３）、設定操作が受け付けられたときに選択されている動作を特定し、サーバ装置２へ送信する（ステップＳ３１４）。
【００６９】
サーバ装置２の制御部２０は、システム又は装置全体の状態を表示する画面上でグラフィックオブジェクトが選択された場合の動作を受信し（ステップＳ２１２）、システム又は装置の識別情報に対応付けて記憶する（ステップＳ２１３）。
【００７０】
次に制御部２０は、対象のシステム又は装置の各階層について、階層選択画面と、選択された階層に対する画像の受付画面とを含む階層別画像登録画面のデータをクライアント装置３へ送信する（ステップＳ２１４）。
【００７１】
クライアント装置３の制御部３０は、階層別画像登録画面のデータを受信し（ステップＳ３１５）、受信したデータに基づいて表示させた階層別画像登録画面にて階層の選択と、選択された階層に対する画像を受け付ける（ステップＳ３１６）。制御部３０は、登録操作を受け付けると（ステップＳ３１７）、選択された階層を識別する情報と、受け付けられた画像とをサーバ装置２へ送信する（ステップＳ３１８）。
【００７２】
サーバ装置２の制御部２０は、選択された階層及び受け付けられた画像を受信し（ステップＳ２１５）、選択された階層を識別する情報に対応付けて画像を記憶部２１に記憶する（ステップＳ２１６）。
【００７３】
制御部２０は、選択された階層の更に下位に存在する階層のリストと、受信した画像とを含み、下位の階層の状態を示す画像内での位置の設定を受け付ける階層別位置設定画面をクライアント装置３へ送信する（ステップＳ２１７）。
【００７４】
クライアント装置３の制御部３０は、階層別位置設定画面を受信し（ステップＳ３１９）、表示させた階層別位置設定画面にて下位の階層別に状態を表示させる位置の設定を受け付ける（ステップＳ３２０）。制御部３０は、設定操作を受け付け（ステップＳ３２１）、下位の階層別に設定された位置の情報をサーバ装置２へ送信する（ステップＳ３２２）。
【００７５】
サーバ装置２の制御部２０は、クライアント装置３から階層別位置設定画面で設定された階層別の位置の情報を受信し（ステップＳ２１８）、ステップＳ２１６で記憶した画像に対応付けて位置の情報を記憶部２１に記憶する（ステップＳ２１９）。これにより、記憶部２１には、システム又は装置の識別情報に対応付けて、蓄電システム１０１の階層別に、蓄電素子の状態を示す画面に含める画像と、該画像内において状態を表すグラフィックを表示させる位置とが記憶される。
【００７６】
制御部２０は、処理をステップＳ２１１へ処理を戻し、全階層への画像の登録が完了するか、又は終了操作が行なわれるまで繰り返し、階層の選択を受け付け、選択された階層における画像を受け付ける。これにより、階層間の状態を示す画面の遷移が可能になる。
【００７７】
図１０のフローチャートに示した処理手順を、具体例を挙げて説明する。図１１−図１７は、クライアント装置３で表示される画面例を示す図である。図１１に示すＷｅｂ画面３３０は、図８のメインの状態画面用のＷｅｂ画面３３０にて設定インタフェース３３６が選択された場合に表示される。図１１の画像登録用のＷｅｂ画面３３０は、システム又は装置全体の状態を表示する画面上でシステム又は装置の状態を示すグラフィックオブジェクト３５１を選択した場合の動作の選択画面３３８を含む。選択画面３３８には、画面遷移の先の一覧が選択可能に含まれている。図１１では、「ＸＹ市メガソーラーシステム」を対象として、全体の状態を表示する状態画面内に含まれる画像上のグラフィックオブジェクト３５１を選択した場合には、蓄電システム１０１が含まれるコンテナＣ群を示す「変電所」の名称が付された階層の状態画面へ遷移することが選択されている。Ｗｅｂ画面３３０には、動作の選択画面３３８と共に設定インタフェース３３９が含まれている。設定インタフェース３３９が選択されたことを検知して、制御部３０はステップＳ３１３の設定操作を受け付ける。
【００７８】
図１２は、階層別画像登録画面３４０の内容例を示す図である。階層別画像登録画面３４０は、対象のシステム又は装置が含む階層の内、画像登録対象の階層を選択するための階層選択画面３４１と、登録する画像の画像受付画面３４２と、登録インタフェース３４３とを含む。保守担当者又は管理者は、クライアント装置３の表示部３３に表示された階層別画像登録画面３４０にて、表示する画像の登録対象の階層を階層選択画面３４１で選択し、選択した階層に対する画像を、画像受付画面３４２によって受け付ける。画像受付画面３４２は、ボタン状の選択インタフェースを有し、アップロードする画像のクライアント装置３における位置（ディレクトリデータ）の選択を受け付ける。登録インタフェース３４３が選択されたことを検知して、制御部３０はステップＳ３１７の登録操作を受け付ける。
【００７９】
図１３は、階層別位置設定画面３４４の内容例を示す図である。階層別位置設定画面３４４は、図１２で選択された階層の更に下位の階層の一覧から状態を表示する対象となる階層を選択するための選択画面３４５と、選択された階層の画像Ｇ２と、設定インタフェース３４６とを含む。保守担当者又は管理者は、クライアント装置３の表示部３３に表示された階層別位置設定画面３４４にて、状態を表示する対象の下位の階層を選択画面３４５で選択し、選択した階層に対応する状態の表示位置を、画像Ｇ２上で選択する。画像Ｇ２上には、図８で示したカーソル３３５同様に、選択された表示位置を示すカーソル、マーク等が表示されるとよい。設定インタフェース３４６が選択されたことを検知して、制御部３０はステップＳ３２１の設定操作を受け付ける。
【００８０】
図１４は、階層別画像登録画面３４０の他の内容例を示す図である。図１４では、図１１で選択された階層よりも更に下位の階層が選択されている。図１５は、階層別位置設定画面３４４の他の内容例を示す図である。図１５の階層別位置設定画面３４４は、図１４にて選択された階層に対し、更に下位の階層の状態を表示するための設定を受け付ける。
【００８１】
図１６−図１８は、クライアント装置３で表示される状態画面３５０の内容例を示す図である。保守担当者又は管理者がクライアント装置３を用いて遠隔監視システム１００にログインし、図５に示したシステム又は装置の名称の一覧を含むＷｅｂ画面３３０が表示部３３に表示される。システム又は装置の一覧から例えば、「ＸＹ市メガソーラーシステム」が選択された場合、図９に示した状態画面３５０が表示される。図９に示した状態画面３５０のデータには、表示されているグラフィックオブジェクト３５１が選択された場合に、下位の階層の状態の表示へ遷移するスクリプトが含まれている。遷移先は、図１０のフローチャートに示した処理手順のステップＳ３１２及びステップＳ３１３により、グラフィックオブジェクト３５１が選択された場合の動作として選択された階層の状態画面である。
【００８２】
図１６は、図９の状態画面３５０にてグラフィックオブジェクト３５１が選択された場合に、表示される階層別状態画面３５３を示す。図１６の階層別状態画面３５３は、システムの最上位層の直下の階層に対応しており、「ＸＹ市メガソーラーシステム」の蓄電システム１０１に含まれる蓄電モジュール群Ｌの状態がコンテナＣ毎に表示されている。図１６の階層別状態画面３５３では、図１２で登録されたコンテナＣの斜視図の画像Ｇ２上に、下位層であるコンテナＣ単位の状態を示すグラフィックオブジェクト３５４が夫々、図１３にて設定された位置に表示されている。
【００８３】
図１６の階層別状態画面３５３のデータには、表示されているグラフィックオブジェクト３５４が選択された場合に、下位の階層の状態の表示へ遷移するスクリプトが含まれている。遷移先は、グラフィックオブジェクト３５４の表示位置がステップＳ３２０で設定される際に選択されている階層の状態画面である。
【００８４】
図１７は、図１６で示した階層の更に下位の階層の階層別状態画面３５３を示す。図１７は、図１６の画像Ｇ２上のグラフィックオブジェクト３５４のいずれかが選択された場合に、遷移によって表示される階層別状態画面３５３である。
【００８５】
上述したように、状態を示す状態画面を階層構造に応じて遷移させて表示する構成においても、各階層に対する画像の登録がクライアント装置３から受け付けられる。保守担当者又は管理者によって、監視対象のシステム毎、装置毎、又はそれらが設置されている場所毎の利便性に応じて視覚的な状態表示の態様を変えることが可能である。
【００８６】
（変形例）
システム又は装置の位置情報をサーバ装置２で記憶しておき、状態画面に含む画像に対して位置情報を対応付けて記憶し、サーバ装置２にてグラフィックオブジェクト３５１の表示位置を自動的に決定してもよい。位置情報は、緯度経度等の絶対位置であってもよいし、システム又は装置が設置されている場所における基準位置からの相対位置であってもよい。
【００８７】
図８に示した設定画面では、グラフィックオブジェクト３５１を表示する位置を、画像Ｇ１内でのカーソル３３５の位置を操作部３４により選ぶことで設定した。これに対して変形例では、画像Ｇ１内における基準位置と、画像Ｇ１における寸法と距離との関係とを受け付ける。図１８は、変形例における位置設定画面３６０の一例を示す図である。図１８に示す変形例の位置設定画面３６０は、基準位置設定インタフェースを含む。図１８中の符号３６１は、例えば例えばＷｉＦｉアンテナの位置等の基準位置を設定するための基準位置設定カーソルを示す。符号３６２は例えば画像Ｇ１の座標における基準位置設定カーソル３６１で選択された箇所の絶対座標（緯度経度）を受け付ける入力窓を示す。符号３６３は、画像内のある範囲又は長さに対する寸法（図１８ではコンテナの長さ）の入力を受け付ける入力窓を示す。画像Ｇ１の縦横と方角との対応を受け付けるインタフェースがあってもよい。寸法、座標の情報を持つＣＡＤ図面、地図等を画像として用いる場合には、基準位置設定インタフェースがなくてもよい。
【００８８】
保守担当者又は管理者は、基準位置設定カーソル３６１にて例えば、ＷｉＦｉのアンテナの設置位置を選択し、絶対座標は入力せず、コンテナＣの寸法を入力窓３６３に入力する。この場合、クライアント装置３の制御部３０は、画像Ｇ１の識別情報に対応付けて画像Ｇ１における座標上での基準位置設定カーソル３６１の位置と、入力窓３６３で入力された寸法とを取得し、サーバ装置２へ送信する。サーバ装置２の制御部２０は、受信した情報に基づき、画像Ｇ１の識別情報に対応付けて、基準位置設定カーソル３６１の位置と、画像Ｇ１における座標及び実寸の対応関係（ピクセル値に対する長さの比率等）とを導出して記憶する。図２に示したようにドメインの管理装置Ｍに接続されている通信デバイス１が、設置位置を示す位置情報（ＷｉＦｉアンテナからの相対位置）を記憶している場合、通信デバイス１は、測定データと共に位置情報をサーバ装置２へ送信する。サーバ装置２の制御部２０は、通信デバイス１から受信した位置情報に基づき、その通信デバイス１が接続されているドメインの蓄電モジュール群Ｌの状態を示すグラフィックオブジェクト３５１の位置を、基準位置に対する相対位置と座標及び実寸の対応関係から特定する。
【００８９】
画像Ｇ１をより広範囲を撮像した写真画像に入れ換えた場合に、変形例で示した位置設定画面３６０で寸法等を入力することによって、各蓄電モジュール群Ｌの状態表示を行なう位置を自動的に、入れ替え後の画像に合わせて変更させることも可能である。このようにして、システムの変更等に応じて視覚的な状態表示の態様を変えることも容易になる。
【００９０】
上述のように開示された実施の形態はすべての点で例示であって、制限的なものではない。本発明の範囲は、特許請求の範囲によって示され、特許請求の範囲と均等の意味および範囲内でのすべての変更が含まれることが意図される。
【符号の説明】
【００９１】
１  通信デバイス
１０  制御部
１１  記憶部
１Ｐ  デバイスプログラム
２  サーバ装置
３  クライアント装置
３３  表示部
３４  操作部
３３０  Ｗｅｂ画面
３３３  画像受付画面
【図１】
2020156156.tif 000003
【図２】
2020156156.tif 000004
【図３】
2020156156.tif 000005
【図４】
2020156156.tif 000006
【図５】
2020156156.tif 000007
【図６】
2020156156.tif 000008
【図７】
2020156156.tif 000009
【図８】
2020156156.tif 000010
【図９】
2020156156.tif 000011
【図１０】
2020156156.tif 000012
【図１１】
2020156156.tif 000013
【図１２】
2020156156.tif 000014
【図１３】
2020156156.tif 000015
【図１４】
2020156156.tif 000016
【図１５】
2020156156.tif 000017
【図１６】
2020156156.tif 000018
【図１７】
2020156156.tif 000019
【図１８】
2020156156.tif 000020